(57)【要約】【課題】  装着が容易で、且つ装着感が良好であると共に、勃起が不完全な場合であっても、勃起状態と同様に陰茎部の角度を保持することが可能な男性機能補助具を提供する。【解決手段】  弾性素材により板状に形成され、装着時には下腹部に当接する台座部と、上記台座部と同一の素材で形成され、上記台座部の一方面から所定傾斜角度を以って突出すると共に、上記台座部の他方面に貫通する筒状部とを有し、上記陰茎部を基端部側から部分的に支持しうる構成とする。【選択図】  図１
0003142370.tif 000002
【実用新案登録請求の範囲】
【請求項１】
男性性器の陰茎部に装着し、男性機能を補助する男性機能補助具であって、
弾性素材により板状に形成され、装着時には下腹部に当接する台座部と、
上記台座部と同一の素材で形成され、上記台座部の一方面から所定傾斜角度を以って突出すると共に、上記台座部の他方面に貫通する筒状部とを有し、上記陰茎部を基端部側から部分的に支持しうることを特徴とする男性機能補助具。
【請求項２】
上記筒状部には、長さ方向に沿って筒状部切込み部が設けられ、上記台座部には、上記筒状部切込み部に延設する台座部切込み部が設けられていることを特徴とする請求項１記載の男性機能補助具。
【請求項３】
上記筒状部切込み部の一方側端縁部には、上記筒状部切込み部の他方端縁部に向かって延設され、上記筒状部切込み部を被覆しうる所定寸法を有する重複部が、上記筒状部の長さ方向に沿って設けられていることを特徴とする請求項２記載の男性機能補助具。
【請求項４】
上記筒状部には、複数本の骨部材が長さ方向及び周方向に沿って、夫々所定間隔をもって埋設されていることを特徴とする請求項１〜３いずれか1項記載の男性機能補助具。
【請求項５】
上記所定傾斜角度は、上記台座部の一方面に対し、垂直角から１５度〜１８度の範囲であることを特徴とする請求項１記載の男性機能補助具。
【請求項６】
上記台座部の他方面には、皮膚面に着脱可能な接着材が塗布されていることを特徴とする請求項１又は２記載記載の男性機能補助具。
【請求項７】
上記筒状部の先端部には、上記筒状部の径方向中心部に向かって所定寸法延設され、上記先端部の開口部を形成する筒状部延設部が設けられていることを特徴とする請求項１〜３いずれか1項記載の男性機能補助具。
【請求項８】
上記筒状部及び台座部はシリコンで形成されていることを特徴とする請求項１〜７いずれか1項記載の男性機能補助具。
【考案の詳細な説明】
【技術分野】
【０００１】
本考案は男性性器に装着して、勃起不全によって減退した男性機能の補助をする男性機能補助具に関する。
【背景技術】
【０００２】
性交時において、勃起状態の継続ができない、若しくは勃起自体が不完全な状態（所謂勃起不全：ＥＤ）となると、正常な男女の営みができなくなり、引いては生活品質（Quality of Life：ＱＯＬ）の低下にもつながる。
【０００３】
上記のようなＥＤ症状を有している場合に、男性性器の陰茎部装着することによって、勃起状態を補助する男性機能補助具が、従来から提案されている（特許文献１、特許文献２）。
【０００４】
上記特許文献１の男性機能補助具は、図６に示すように、シリコンゴム等の弾性体で形成され、全体有底筒状体のペニスサポーター本体６１であって、先端部６２から開口部６３に向かって、亀頭部６４と、上記亀頭部６４の外周に設けられた半円状の亀頭固定環６５と、亀頭部６４の基端部から延設された陰茎部６６とを備え、上記陰茎部６６の内周面に所定の間隔で薄肉部６７を全周に亘って設けられた構成を有する男性機能補助具６０が提案されている。
上記弾性機能補助具６０はシリコンゴム等の弾性体で形成されていることから装着感が良好であり、且つ肉薄部６７が伸縮するため開口部６３から外側に反転させて折り曲げたり、若しくは反転を元に戻す操作が容易となるため、陰茎部６６を開口部６３から外方にめくりあげて反転させた後、先端部６２を亀頭に当接させてから、再び反転状態を元に戻すことで陰茎へ装着することができる。
しかし、陰茎部６６をめくりあげてから再び戻す操作が非常に面倒であり、また、亀頭全体を覆って被せて使用することから、装着時の異物感は否めない。
【０００５】
また、特許文献２に係る男性機能補助具は、図７に示すように、角部を丸くした洋紙から形成された芯紙７１の両面に、角部を丸くした和紙７２を張り合わせて形成され、亀頭部の基端部から陰茎部の根元部に至る部位に巻装したうえで、外方よりコンドームを被せて使用する男性機能補助具７０が提案されている。
上記男性機能補助具７０においては、特許文献１の男性機能補助具と比較して、装着は容易であるものの、芯材が紙製のため、装着感が良くないという不具合を有していた。
【０００６】
また、特許文献１、特許文献２のいずれで場合あっても、陰茎部にのみ装着されるため、陰茎部全体を勃起状態の角度に保持する機能を有していない。
従って、陰茎部の勃起が不完全な場合は、陰茎部が垂れ下がってしまい、充分な補助機能を果たせない可能性がある。
【０００７】
【特許文献１】特開２００４−９７３３７号
【特許文献２】特開平０４−１０８１８号
【考案の開示】
【考案が解決しようとする課題】
【０００８】
そこで本考案の課題は、装着が容易で、且つ装着感が良好であると共に、勃起が不完全な場合であっても、勃起状態と同様に陰茎部の角度を保持することが可能な男性機能補助具を提供することにある。
【課題を解決するための手段】
【０００９】
上記課題を解決するために、請求項１に記載した男性機能補助具は、男性性器の陰茎部に装着し、男性機能を補助する男性機能補助具であって、弾性素材により板状に形成され、装着時には下腹部に当接する台座部と、上記台座部と同一の素材で形成され、上記台座部の一方面から所定傾斜角度を以って突出すると共に、上記台座部の他方面に貫通する筒状部とを有し、上記陰茎部を基端部側から部分的に支持しうることを特徴とする。
【００１０】
従って、上記筒状部を陰茎部に装着し、上記台座部の他方面を下腹部に当接させると、上記台座部が支点となって、上記所定傾斜角度に陰茎部を保持する。
【００１１】
また、請求項２に記載した男性機能補助具は、上記筒状部には、長さ方向に沿って筒状部切込み部が設けられ、上記台座部には、上記筒状部切込み部に延設する、台座部切込み部が設けられていることを特徴とする。
【００１２】
従って、上記筒状部切込み部と、上記台座部切込み部を指等で把持して拡開させ、陰茎部を、筒状部切込み部を介して嵌め込むことで装着することができる。
【００１３】
また、請求項３に記載した男性機能補助具は、上記筒状部切込み部の一方側端縁部には、上記筒状部切込み部の他方端縁部に向かって延設され、上記筒状部切込み部を被覆しうる、所定寸法を有する重複部が、上記筒状部の長さ方向に沿って設けられていることを特徴とする。
【００１４】
従って、装着後に陰茎部の径寸法が膨張した場合であっても、上記重複部が
膨張した寸法分周方向に移動することで吸収され、上記筒状部切込み部の
端部間に隙間が生じることがない。
【００１５】
また、請求項４に記載した男性機能補助具は、上記筒状部には、複数本の骨部材が長さ方向、及び周方向に沿って、夫々所定間隔をもって埋設されていることを特徴とする。
【００１６】
従って、上記骨部材により陰茎部が押圧され、陰茎部と上記筒状部の内面とが滑り難くなると共に、上記筒状部の傾斜角を良好に保持しうる。
【００１７】
また、請求項５に記載した男性機能補助具は、上記所定傾斜角度は、上記台座部の一方面に対し、垂直角から１５度〜１８度の範囲であることを特徴とする。
【００１８】
また、請求項６に記載した男性機能補助具は、上記台座部の他方面には、皮膚面に着脱可能な接着材が塗布されていることを特徴とする。
【００１９】
従って、装着時に、上記台座部の他方面を下腹部に貼設した際に、陰茎部の重みによって、台座部が剥がれ落ちることが無い。
【００２０】
また、請求項７に記載した男性機能補助具は、上記筒状部の先端部には、上記筒状部の径方向中心部に向かって所定寸法延設され、上記先端部の開口部を形成する筒状部延設部が設けられていることを特徴とする。
【００２１】
従って、上記筒状部の先端部に形成された開口部は、上記筒状部の径寸法よりも小径となり、陰茎部に装着した場合は、上記筒状延設部が陰茎部に押し拡げられて上記陰茎部１１と密着するため、上記開口部と陰茎部との境界部に段差が生じ難い。
【００２２】
また、請求項８に記載した男性機能補助具は、上記筒状部及び台座部はシリコンで形成されていることを特徴とする。
【００２３】
従って、より皮膚に近い触感の装着感を有する。
【考案の効果】
【００２４】
請求項１の考案に係る男性機能補助具は、男性性器の陰茎部に装着し、男性機能を補助する男性機能補助具であって、弾性素材により板状に形成され、装着時には下腹部に当接する台座部と、上記台座部と同一の素材で形成され、上記台座部の一方面から所定傾斜角度を以って突出すると共に、上記台座部の他方面に貫通する筒状部とを有し、上記陰茎部を基端部側から部分的に支持しうることから、装着が容易で、且つ弾性素材で形成されているため装着感が良好であると共に、勃起が不完全な場合であっても、上記台座部によって、勃起状態と同様に陰茎部の角度を保持することが可能な男性機能補助具を提供することができる。
また請求項５の考案に係る男性機能補助具は、上記所定傾斜角度は、上記台座部の一方面に対し、垂直角から１５度〜１８度の範囲であることから、請求項１の効果に加え、更に自然な勃起角度に近い状態に陰茎部を保持することができる。
また、請求項７の考案に係る男性機能補助具は、上記筒状部の先端部には、上記筒状部の径方向中心部に向かって所定寸法延設され、上記先端部の開口部を形成する筒状部延設部が設けられていることから、装着時に上記筒状延設部が陰茎部に押し拡げられて上記陰茎部と密着するため、上記開口部と陰茎部との境界部に段差が生じ難い。
従って、より装着感が良好な男性機能補助具を提供することができる。
また、請求項８の考案に係る男性機能補助具は、上記筒状部及び台座部はシリコンで形成されていることから、人間の皮膚に近い触感を有し、より装着感が良好な男性機能補助具を提供することができる。
【００２５】
また、請求項２の考案に係る男性機能補助具は、上記筒状部には、長さ方向に沿って筒状部切込み部が設けられ、上記台座部には、上記筒状部切込み部に延設する、台座部切込み部が設けられていることから、上記筒状部の基端部から陰茎部を挿入させなくても、上記筒状部切込み部と台座部切込み部を拡開して、上記筒状部を、筒状部切込み部から陰茎部に嵌め込むことができる。
従って、従来の男性機能補助具と比較して、極めて容易に装着することが可能な男性機能補助具を提供することができる。
【００２６】
また、請求項３の考案に係る男性機能補助具は、上記筒状部切込み部の一方側端縁部には、上記筒状部切込み部の他方端縁部に向かって延設され、上記筒状部切込み部を被覆しうる、所定寸法を有する重複部が、上記筒状部の長さ方向に沿って設けられていることから、装着後に陰茎部が膨張して陰茎部の径寸法が変化しても、上記重複部が周方向に移動することで、径寸法の変化を吸収しうる。
従って、切込み端部間に隙間が生じて、上記男性機能補助具が外れることが無く、より装着感が良好な男性機能補助具を提供することができる。
【００２７】
また、請求項４の考案に係る男性機能補助具は、上記筒状部には、複数本の骨部材が長さ方向、及び周方向に沿って、夫々所定間隔をもって埋設されていることから、装着後に、陰茎部と上記筒状部の内面が滑ることを防止すると共に、上記筒状部の傾斜角を良好な状態に保持する。
従って、より装着感が優れると共に、陰茎部の角度を、より安定して保持することが可能な男性機能補助具を提供することができる。
また、外方から避妊具を被せた場合であっても、避妊具と上記筒状部の外面との滑りを防止しうるという効果をも奏する。
【００２８】
また、請求項６の考案に係る男性機能補助具は、上記台座部の他方面には、皮膚面に着脱可能な接着材が塗布されていることから、装着時に台座部が下腹部に密着固定され、陰茎部の重みを、より強固に支えうる。
従って、請求項１の効果に加え、陰茎部の勃起が充分ではない場合であっても、所定角度を保持しつつ、より安定して陰茎部を保持することが可能な男性機能補助具を提供することができる。
【考案を実施するための最良の形態】
【００２９】
以下、図面を用いて本考案の実施の形態について説明する。
図５に示すとおり、本実施の形態に係る男性機能補助具１０は、男性性器の陰茎部１１に装着する。
図５に示すとおり、上記男性機能補助具１０は、皮膚に近い柔軟性を有するシリコンで形成された弾性素材により板状に形成され、装着時には下腹部１２に当接する台座部１３と、上記台座部１３と同一の素材で形成され、上記台座部１３の一方面１３ａから、上記一方面１３ａの垂直角に対して、１５度〜１８度の範囲の所定傾斜角度θを以って突出すると共に、上記台座部１３の他方面１３ｂに貫通する筒状部１４とを有する。
また、図１及び図４に示すとおり、上記筒状部１４には、長さ方向に沿って筒状部切込み部１５が設けられ、上記台座部１３には、上記筒状部切込み部１５に延設する、台座部切込み部１６が設けられていると共に、上記筒状部切込み部１５の一方側端縁部１７には、上記筒状部切込み部１５の他方端縁部１８に向かって延設され、上記筒状部切込み部１５を被覆しうる、所定寸法を有する重複部１９が、上記筒状部１４の長さ方向に沿って設けられている。
また、上記筒状部１４には、複数本の骨部材２０が長さ方向、及び周方向に沿って、夫々所定間隔をもって埋設されている。
また、図４に示すとおり上記筒状部１４の先端部２１には、上記筒状部の径方向中心部に向かって所定寸法延設され、上記先端部２１の開口部２８を形成する筒状部延設部２２が設けられている。
また、図４及び図５に示すとおり、上記台座部１３の他方面１３ｂには、皮膚対して容易に着脱が可能な接着材２３が塗布されている。
【実施例】
【００３０】
以下上記構成の実施例について図面を用いて説明する。
図２は、本実施例の男性機能補助具１０の平面図である。
図２に示すように、台座部１３は、角部に丸みを帯びた頂角部２４が鈍角である略二等辺三角形状に形成された、厚さ寸法が約３ｍｍ程度の板状体である。
また、図３は実施例の男性機能補助具１０の側面図である。
図３に示すように、筒状部１４の基端部２５は、上記台座部１３の略中心部に配設され、上記台座部１３を貫通して、上記台座部１３の他方面１３ｂ側において開口部２７を有している。
また、上記筒状部１４は、上記台座部１３の一方面１３ａの垂直方向に対し、上記台座部１３の底辺２６の方向に角度θ分傾斜して配設されている。
上記角度θは、一般男性の勃起時に、陰茎部が下腹部の垂直方向に対して上方に傾斜している角度を測定した結果、平均的な角度が１５度〜１８度であることから、本実施例においては約１７度に設定されている。
また、図１に示すように、上記筒状部１４には長さ方向、及び周方向においてそれぞれ等間隔に、合成樹脂性で形成され、互いに格子状に配置された可撓性を有する棒状の骨部材２０が埋設されている。
本実施例においては、上記骨部材２０は長さ方向に沿って５本、周方向に沿って７本が埋設されている。
また、図３、４に示すとおり上記筒状部１４の先端部２１には、上記筒状部の径方向中心部に向かって所定寸法延設され、上記先端部２１の開口部２８を形成する筒状部延設部２２が設けられていることから、上記先端部２１の開口部２８の径寸法は、筒状部１４の長さ方向中央部の径寸法と比較して小さくなっている。
また、図４に示すとおり、上記筒状部材１４は、筒状部切込み部１５において長さ方向に沿って分断されており、上記筒状部切込み部１５と、上記筒状部切込み部１５に延設された台座部切込み部１６を手指にて把持して、拡開することができる。
また、図４に示すとおり、上記筒状部切込み部１５の一方側端縁部１７から他方端縁部１８に向かって延設されている重複部１８は、上記筒状部１４の周方向寸法の約１／４程度の周方向寸法を有し、装着時に上記筒状部切込み部１５が拡開した場合であっても、充分に上記筒状部切込み部１５を被覆しうる寸法が確保されている。
【００３１】
上記構成の実施例における作用について、以下詳述する。
本実施例の男性機能補助具１０を装着する場合は、図４に示すように、長腹部１９を手指等で把持してめくりあげ、更に上記筒状部切込み部１５と台座部切込み部１６とを拡開する。
上記に操作によって拡がった筒状部切込み部１５を介して上記筒状部１４に陰茎部１１に嵌め込むことで、上記男性機能補助具１０を装着することができる。
図５に示すように、装着状態においては、陰茎部１１は上記筒状部１４内部を貫通し、上記陰茎部１１の先端（亀頭部）は上記筒状部１４の先端部２１側の開口部２８から突出している。
この際、上記台座部１３の他方面１３ｂは、底辺２６を上方にして接着材２３を介して下腹部１２に密着固定されるため、上記筒状部１４は下腹部１２の一般面に対して、上方側に傾斜した状態となる。
また、陰茎部１１に装着した場合は、上記筒状部１４の先端部２１に形成された筒状部延設部２２が陰茎部１１に押し拡げられることで、上記陰茎部１１と密着し、上記開口部と陰茎部との境界部に段差が生じ難い。
【００３２】
従って、上記陰茎部１１の勃起状態が不充分であっても、自然な勃起角度に近い状態に上記陰茎部１１の角度を保持すること可能であり、また、上記接着材２３により上記台座部１３が下腹部１２に固定されていることから、上記陰茎部１１の重みによって、上記台座部１３が下腹部１２から剥がれ落ちてしまうことがない。
更に、装着後に、上記陰茎部１１が膨張し、上記陰茎部１１の径寸法が変化した場合であっても、上記筒状部切込み部１５及び台座部切込み部１６とが拡開することにより径寸法の変化を吸収しうる。
また、上記重複部１９が周方向に充分な寸法を有し、上記筒状部切込み部１５を常に被覆しうることから、上記筒状部切込み部１５から陰茎部１１が外れてしまうことがない。
また、上記筒状部１４に埋設されている骨部材によって、上記筒状部１４の内面と陰茎部１１との滑りが防止されると共に、上記筒状部１４の傾斜角度が、より強固に保持される。
また、上記筒状部１４、及び台座部１３は柔軟なシリコンで形成されているため人間の肌に近い触感を有する。
上記の作用を有することで、装着感が極めて良好であり、且つ陰茎部の勃起が不完全な場合であっても、勃起状態と同様に陰茎部の角度を安定して保持することが可能な男性機能補助具を提供することができる。
また、上記筒状部切込み部１５を介して、上記筒状部１４の側面から陰茎部１１を嵌め込むことで装着しうることから、装着操作も非常に容易である。
【００３３】
なお、本実施例においては上記所定角度θを１７度としたが、一般男性の平均勃起角度１５〜１８度の範囲で変更しても、本実施例と同様の作用効果を得ることが可能である。
また、骨部材の本数を必要に応じて増減しても、本実施例の本質的な作用効果を得ることが可能である。
【産業上の利用可能性】
【００３４】
本考案は、本考案は男性性器に装着して、勃起不全によって減退した男性機能の補助をする男性機能補助具に適用することができる。
【図面の簡単な説明】
【００３５】
【図１】本発明に係るの男性機能補助具の一実施の形態を示し、実施例の形態における男性機能補助具の全体斜視図である。
【図２】本発明に係る男性機能補助具の一実施の形態を示し、実施例の形態における男性機能補助具の平面図である。
【図３】本発明に係る男性機能補助具の一実施の形態を示し、実施例の形態における男性機能補助具の側面図である。
【図４】本発明に係る男性機能補助具の一実施の形態を示し、実施例の形態において、筒状部切込み部を拡開させた状態の正面図である。
【図５】本発明に係る男性機能補助具の一実施の形態を示し、実施例の形態における男性機能補助具を陰茎部に装着した場合の側面図である。
【図６】従来の男性機能補助具の側面図である。
【図７】従来の別の男性機能補助具の展開状態図である。
【符号の説明】
【００３６】
１０  男性機能補助具
１１  陰茎部
１２  下腹部
１３  台座部
１３ａ  台座部の一方面
１３ｂ  台座部の他方面
１４  筒状部
１５  筒状部切込み部
１６  台座部切込み部
１７  筒状部切込み部の一方側端縁部
１８  筒状部切込み部の他方側端縁部
１９  重複部
２０  骨部材
２１  筒状部の先端部
２２  筒上部延設部
２３  接着材
２４  台座部の頂角部
２５  筒状部の基端部  
２６  台座部の底辺
２７  筒状部の基端部の開口部
２８  筒状部の先端部の開口部
６０  従来の男性機能補助具
６１  ペニスサポータ本体
６２  先端部
６３  開口部
６４  亀頭部
６５  亀頭固定環
６６  陰茎部
６７  薄肉部
７０  従来の男性機能補助具
７１  芯紙
７２  和紙
【図１】
0003142370.tif 000003
【図２】
0003142370.tif 000004
【図３】
0003142370.tif 000005
【図４】
0003142370.tif 000006
【図５】
0003142370.tif 000007
【図６】
0003142370.tif 000008
【図７】
0003142370.tif 000009